(57)【要約】【課題】サーバ装置で変換された設定情報を画像形成装置にインポートするシステムにおいて、変換前の設定情報が記憶された記憶媒体を用いて、画像形成装置の設定を更新することを容易にする。【解決手段】画像形成装置は、第１の画像形成装置と第２の画像形成装置とを含む情報処理システムの第２の画像形成装置であって、記憶媒体に記憶された設定情報を読出する読出部と、読出部が読出した設定情報が、第１の設定情報であるか、第２の設定情報であるかを判断する判断部と、読出部が読出した設定情報が第２の設定情報である場合、第２の設定情報を用いて第２の画像形成装置の設定を行う第１の設定部と、読出部が読出した設定情報が第１の設定情報であり、かつ第１の画像形成装置と第２の画像形成装置とが同じ画像形成装置である場合、第１の設定情報を用いて第２の画像形成装置の設定を行う第２の設定部と、を有する。【選択図】図４
2018207240.tif 000002
【特許請求の範囲】
【請求項１】
第１の画像形成装置の設定情報である第１の設定情報を、第２の画像形成装置で利用可能な設定情報である第２の設定情報に変換する情報処理装置を含む情報処理システムの前記第２の画像形成装置であって、
記憶媒体に記憶された設定情報を読出する読出部と、
前記読出部が読出した設定情報が、前記第１の設定情報であるか、前記第２の設定情報であるかを判断する判断部と、
前記読出部が読出した設定情報が前記第２の設定情報である場合、前記第２の設定情報を用いて前記第２の画像形成装置の設定を行う第１の設定部と、
前記読出部が読出した設定情報が前記第１の設定情報であり、かつ前記第１の画像形成装置と前記第２の画像形成装置とが同じ画像形成装置である場合、前記第１の設定情報を用いて前記第２の画像形成装置の設定を行う第２の設定部と、
を有する、画像形成装置。
【請求項２】
前記第１の設定情報は、前記第１の設定情報を出力した前記第１の画像形成装置を識別する装置識別情報を含み、
前記第２の設定部は、前記第１の設定情報に含まれる前記装置識別情報と、前記第２の画像形成装置を識別する装置識別情報とが同じ装置識別情報である場合、前記第１の画像形成装置と前記第２の画像形成装置とが同じ画像形成装置であると判断する、請求項１に記載の画像形成装置。
【請求項３】
前記第１の設定情報は、前記情報処理装置が管理する前記第２の設定情報を特定する特定情報を含み、
前記第２の画像形成装置は、
前記読出部が読出した設定情報が前記第１の設定情報であり、かつ前記第１の画像形成装置と前記第２の画像形成装置とが異なる画像形成装置である場合、前記特定情報を用いて、前記情報処理装置から前記第２の設定情報を取得する取得部と、
前記取得部が取得した前記第２の設定情報を用いて前記第２の画像形成装置の設定を行う第３の設定部と、
を有する、請求項１又は２に記載の画像形成装置。
【請求項４】
前記特定情報は、前記第１の画像形成装置が前記第１の設定情報を出力した時刻の情報を含む、請求項３に記載の画像形成装置。
【請求項５】
前記第１の画像形成装置は、前記第１の設定情報を前記記憶媒体に記憶するときに、前記第１の設定情報を前記情報処理装置に送信する設定情報出力部を有し、
前記情報処理装置は、
前記第１の画像形成装置から受信した前記第１の設定情報を、前記第２の設定情報に変換する設定情報変換部と、
前記設定情報変換部が変換した第２の設定情報を管理する設定情報管理部と、
を有する、請求項３又は４に記載の画像形成装置。
【請求項６】
前記記憶媒体に記憶された設定情報は、前記設定情報が前記情報処理装置で変換された変換済の設定情報であるか否かを示す情報と、前記設定情報に対応する機種の情報とを含み、
前記判断部は、前記読出部が読出した設定情報が前記変換済の設定情報であり、かつ前記機種の情報が前記第２の画像形成装置の機種を示す場合、前記読出部が読出した設定情報が前記第２の設定情報であると判断する、請求項１乃至５のいずれか一項に記載の画像形成装置。
【請求項７】
前記読出部が読出した設定情報が前記第１の設定情報であり、かつ前記第１の設定情報に含まれる機種識別情報が前記第２の画像形成装置の機種識別情報と異なる場合、前記情報処理装置に記憶された１つ以上の前記第２の設定情報を選択可能に表示する表示画面を、表示部に表示させる表示制御部と、
前記表示画面から選択された前記第２の設定情報を前記情報処理装置から取得する取得部と、
前記取得部が取得した前記第２の設定情報を用いて前記第２の画像形成装置の設定情報を設定する第３の設定部と、
を有する、請求項１又は２に記載の画像形成装置。
【請求項８】
第１の画像形成装置の設定情報である第１の設定情報を、第２の画像形成装置で利用可能な設定情報である第２の設定情報に変換する情報処理装置と、前記第２の画像形成装置と含む情報処理システムであって、
前記第２の画像形成装置は、
記憶媒体に記憶された設定情報を読出する読出部と、
前記読出部が読出した設定情報が、前記第１の設定情報であるか、前記第２の設定情報であるかを判断する判断部と、
前記読出部が読出した設定情報が前記第２の設定情報である場合、前記第２の設定情報を用いて前記第２の画像形成装置の設定を行う第１の設定部と、
前記読出部が読出した設定情報が前記第１の設定情報であり、かつ前記第１の画像形成装置と前記第２の画像形成装置とが同じ画像形成装置である場合、前記第１の設定情報を用いて前記第２の画像形成装置の設定を行う第２の設定部と、
を有する、情報処理システム。
【請求項９】
第１の画像形成装置の設定情報である第１の設定情報を、第２の画像形成装置で利用可能な設定情報である第２の設定情報に変換する情報処理装置と、前記第２の画像形成装置と含む情報処理システムにおける画像形成装置の設定方法であって、
前記第２の画像形成装置に、
記憶媒体に記憶された設定情報を読出するステップと、
前記読出した設定情報が、前記第１の設定情報であるか、前記第２の設定情報であるかを判断するステップと、
前記読出した設定情報が前記第２の設定情報である場合、前記第２の設定情報を用いて前記第２の画像形成装置の設定を行うステップと、
前記読出した設定情報が前記第１の設定情報であり、かつ前記第１の画像形成装置と前記第２の画像形成装置とが同じ画像形成装置である場合、前記第１の設定情報を用いて前記第２の画像形成装置の設定を行うステップと、
を実行させる、画像形成装置の設定方法。
【請求項１０】
第１の画像形成装置の設定情報である第１の設定情報を、第２の画像形成装置で利用可能な設定情報である第２の設定情報に変換する情報処理装置を含む情報処理システムの前記第２の画像形成装置に、
記憶媒体に記憶された設定情報を読出するステップと、
前記読出した設定情報が、前記第１の設定情報であるか、前記第２の設定情報であるかを判断するステップと、
前記読出した設定情報が前記第２の設定情報である場合、前記第２の設定情報を用いて前記第２の画像形成装置の設定を行うステップと、
前記読出した設定情報が前記第１の設定情報であり、かつ前記第１の画像形成装置と前記第２の画像形成装置とが同じ画像形成装置である場合、前記第１の設定情報を用いて前記第２の画像形成装置の設定を行うステップと、
を実行させるためのプログラム。
【発明の詳細な説明】
【技術分野】
【０００１】
本発明は、画像形成装置、情報処理システム、画像形成装置の設定方法、及びプログラムに関する。
【背景技術】
【０００２】
画像形成装置の設定を記憶した設定情報をサーバ装置や記憶媒体等にエクスポートし、エクスポートした設定情報を用いて、他の画像形成装置の設定情報を設定するシステムが知られている。
【０００３】
例えば、リプレイス元の画像形成装置の設定情報を、サーバ装置でリプレイス先の画像形成装置の設定情報に変換し、変換された設定情報を用いてリプレイス先の画像形成装置の設定情報を設定するシステムが知られている（例えば、特許文献１参照）。
【発明の概要】
【発明が解決しようとする課題】
【０００４】
画像形成装置の管理者等は、例えば、画像形成装置の設定を行ったとき等に、画像形成装置の設定情報を記憶媒体に記憶しておくことができる。しかし、特許文献１に開示された技術のように、サーバ装置で変換された設定情報を画像形成装置にインポートするシステムでは、ユーザが設定情報を記憶した記憶媒体を用いて、画像形成装置に設定情報を設定することには困難を伴っていた。
【０００５】
本発明の実施の形態は、上記の問題点に鑑みてなされたものであって、サーバ装置で変換された設定情報を画像形成装置にインポートするシステムにおいて、変換前の設定情報が記憶された記憶媒体を用いて、画像形成装置の設定を更新することを容易にする。
【課題を解決するための手段】
【０００６】
上記課題を解決するため、本発明の一実施形態に係る画像形成装置は、第１の画像形成装置の設定情報である第１の設定情報を、第２の画像形成装置で利用可能な設定情報である第２の設定情報に変換する情報処理装置を含む情報処理システムの前記第２の画像形成装置であって、記憶媒体に記憶された設定情報を読出する読出部と、前記読出部が読出した設定情報が、前記第１の設定情報であるか、前記第２の設定情報であるかを判断する判断部と、前記読出部が読出した設定情報が前記第２の設定情報である場合、前記第２の設定情報を用いて前記第２の画像形成装置の設定を行う第１の設定部と、前記読出部が読出した設定情報が前記第１の設定情報であり、かつ前記第１の画像形成装置と前記第２の画像形成装置とが同じ画像形成装置である場合、前記第１の設定情報を用いて前記第２の画像形成装置の設定を行う第２の設定部と、を有する。
【発明の効果】
【０００７】
本発明の一実施形態によれば、サーバ装置で変換された設定情報を画像形成装置にインポートするシステムにおいて、変換前の設定情報が記憶された記憶媒体を用いて、画像形成装置の設定を容易に更新することができるようになる。
【図面の簡単な説明】
【０００８】
【図１】一実施形態に係る情報処理システムの構成例を示す図である。
【図２】一実施形態に係る画像形成装置のハードウェア構成例を示す図である。
【図３】一実施形態に係るコンピュータのハードウェア構成例を示す図である。
【図４】第１の実施形態に係る情報処理システムの機能構成図である。
【図５】第１の実施形態に係る設定情報の例を示す図である。
【図６】第１の実施形態に係る設定情報の変換について説明するための図である。
【図７】第１の実施形態に係る画像形成装置の設定処理の例を示すフローチャートである。
【図８】第２の実施形態に係る情報処理システムの機能構成図である。
【図９】第２の実施形態に係る画像形成装置の設定処理の一例を示すフローチャートである。
【図１０】第２の実施形態に係る画像形成装置の設定処理の別の一例を示すフローチャートである。
【図１１】第２の実施形態に係る情報処理システムの設定処理の例を示すシーケンス図である。
【図１２】一実施形態に係る画像形成装置の表示画面の例を示す図である。
【発明を実施するための形態】
【０００９】
以下に、本発明の実施の形態について、添付の図面を参照して説明する。
【００１０】
＜システムの構成＞
図１は、一実施形態に係る情報処理システムの構成例を示す図である。情報処理システム１００は、例えば、インターネットやＬＡＮ（Local Area Network）等のネットワーク１０４に接続された画像形成装置１０１−１、１０１−２、及びサーバ装置１０２を含む。なお、以下の説明の中で、画像形成装置１０１−１、１０１−２のうち、任意の画像形成装置を示す場合、「画像形成装置１０１」を用いる。
【００１１】
画像形成装置１０１は、例えば、スキャン機能、コピー機能、プリンタ機能、ファクシミリ機能等を一つの筐体に搭載した複合機や、プリンタ、スキャナ、コピー機等の画像形成機能を有する電子機器である。
【００１２】
サーバ装置（情報処理装置）１０２は、例えば、ＰＣ（Personal Computer）等の情報処理装置、又は複数の情報処理装置を含むシステムである。サーバ装置１０２は、例えば、画像形成装置１０１−１（第１の画像形成装置）の設定情報である第１の設定情報を、画像形成装置１０１−２（第２の画像形成装置）で利用可能な設定情報である第２の設定情報に変換する機能を有している。
【００１３】
上記の構成により、情報処理システム１００は、画像形成装置１０１−１からエクスポートされた第１の設定情報を、サーバ装置１０２で、画像形成装置１０１−２で利用可能な第２の設定情報に変換することができる。また、情報処理システム１００は、サーバ装置１０２で変換された第２の設定情報を、画像形成装置１０１−２にインポートすることにより、画像形成装置１０１−１の設定情報を、画像形成装置１０１−２に反映させることができる。
【００１４】
（設定情報の設定方法の例）
図１に示す情報処理システム１００において、画像形成装置１０１−１の設定情報である第１の設定情報を、画像形成装置１０１−２に反映させるためには、主に２つの方法がある。
【００１５】
１つ目の方法は、画像形成装置１０１−１の第１の設定情報を、ネットワーク１０４を介してサーバ装置１０２にエクスポートし、サーバ装置１０２で変換された第２の設定情報を、画像形成装置１０１−２にインポートする方法である。
【００１６】
２つめの方法は、メモリカード等の記憶媒体を用いて、画像形成装置１０１−１から、画像形成装置１０１−２に設定情報を反映させる方法である。しかし、従来の技術では、メモリカード等の記憶媒体を用いて、画像形成装置１０１−１から、画像形成装置１０１−２に設定情報を反映させることには困難を伴っていた。
【００１７】
例えば、ユーザは、情報処理システム１００に対応するアプリケーションプログラム（以下、アプリと呼ぶ）がインストールされた情報端末１０３に、記憶媒体１０５に記憶された画像形成装置１０１−１の第１の設定情報を読込させる（図１のステップＳ１）。
【００１８】
また、ユーザは、アプリを用いて、読込した第１の設定情報をサーバ装置１０２にアップロードし、画像形成装置１０１−２で利用可能な第２の設定情報への変換を指示する（ステップＳ２）。
【００１９】
さらに、ユーザは、アプリを用いて、サーバ装置１０２で変換された第２の設定情報をダウンロードし（ステップＳ３）、ダウンロードした第２の設定情報を記憶媒体１０５に記憶させる（ステップＳ４）。
【００２０】
ユーザは、この第２の設定情報が記憶された記憶媒体１０５を、画像形成装置１０１−２にインポートすることにより、画像形成装置１０１−１の第１の設定情報を、画像形成装置１０１−２の設定情報に反映させる。
【００２１】
しかし、この方法では、アプリがインストールされた情報端末１０３を用意して、設定情報の変換操作に慣れたユーザが作業を行う必要があり、画像形成装置１０１−１の第１の設定情報を、画像形成装置１０１−２に設定することには困難を伴っていた。
【００２２】
そこで、本実施形態では、画像形成装置１０１−１の第１の設定情報が記憶された記憶媒体１０５を用いて、画像形成装置１０１−２の設定情報を容易に設定することができるようにする。
【００２３】
例えば、画像形成装置１０１−２は、記憶媒体が接続されると、記憶媒体に記憶された設定情報が、サーバ装置１０２で変換済の第２の設定情報であるか、サーバ装置１０２で変換前の第１の設定情報であるかを確認する。
【００２４】
記憶媒体に記憶された設定情報が第２の設定情報である場合、画像形成装置１０１−２は、記憶媒体に記憶された第２の設定情報を、自装置の設定情報に反映させる。
【００２５】
一方、記憶媒体に記憶された設定情報が第１の設定情報であり、かつ画像形成装置１０１−１と画像形成装置１０１−２とが同じ画像形成装置である場合、画像形成装置１０１−２は、記憶媒体に記憶された第１の設定情報を、自装置の設定情報に反映させる。これは、画像形成装置１０１−１と画像形成装置１０１−２とが同じ画像形成装置である場合、サーバ装置１０２による設定情報の変換が不要なためである。
【００２６】
好ましくは、記憶媒体に記憶された設定情報が第１の設定情報であり、かつ画像形成装置１０１−１と画像形成装置１０１−２とが異なる画像形成装置である場合、画像形成装置１０１−２は、第１の設定情報を用いてサーバ装置１０２から第２の設定情報を取得する。
【００２７】
例えば、画像形成装置１０１−１は、記憶媒体１０５に第１の設定情報をエクスポートするとき、サーバ装置１０２にも第１の設定情報をエクスポートしておく。また、サーバ装置１０２は、画像形成装置１０１−１からエクスポートされた第１の設定情報を、画像形成装置１０１−２で利用可能な第２の設定情報に変換して、管理する。
【００２８】
さらに、画像形成装置１０１−１からエクスポートされた第１の設定情報には、例えば、画像形成装置１０１−１を識別する装置識別情報、及び第１の設定情報がエクスポートされた時刻等、設定情報を特定するための特定情報が含まれている。なお、画像形成装置１０１−１を識別する装置識別情報、及び第１の設定情報がエクスポートされた時刻は、特定情報の一例である。特定情報は、設定情報を識別する識別情報等であっても良い。
【００２９】
これにより、画像形成装置１０１−２は、記憶媒体１０５に記憶された第１の設定情報から、サーバ装置１０２に記憶された第２の設定情報を特定し、インポートすることができるようになる。
【００３０】
このように、本実施形態によれば、サーバ装置１０２で変換された設定情報を画像形成装置１０１にインポートするシステムにおいて、変換前の設定情報が記憶された記憶媒体１０５を用いて、画像形成装置１０１の設定情報を容易に設定することができる。
【００３１】
＜ハードウェア構成＞
（画像形成装置のハードウェア構成）
図２は、一実施形態に係る画像形成装置１０１のハードウェア構成例を示す図である。
【００３２】
画像形成装置１０１は、コントローラ２１０、操作パネル２２０、通信Ｉ／Ｆ（Interface）２３０、プロッタ２４０、スキャナ２５０、ファクスコントロールユニット（以下、ＦＣＵと呼ぶ）２６０、及び外部接続Ｉ／Ｆ２７０等を有する。
【００３３】
コントローラ２１０は、ＣＰＵ（Central Processing Unit）２１１、ＲＡＭ（Random Access Memory）２１２、ＲＯＭ（Read Only Memory）２１３、ＮＶＲＡＭ（Non-Volatile RAM）２１４、及びＨＤＤ２１５等を含む。
【００３４】
ＣＰＵ２１１は、例えば、ＲＯＭ２１３、ＮＶＲＡＭ２１４、ＨＤＤ２１５等からプログラムやデータ、設定情報等を読出して、処理を実行することにより、画像形成装置１０１の各機能を実現する演算装置である。ＲＡＭ２１２は、ＣＰＵ２１１のワークエリア等として用いられる揮発性のメモリである。ＲＯＭ２１３は、各種プログラムやデータを格納している不揮発性のメモリである。
【００３５】
ＮＶＲＡＭ２１４は、例えば、画像形成装置１０１の設定情報等を記憶する書込可能な不揮発性のメモリである。ＨＤＤ３１５は、各種プログラムやデータを格納しているストレージ装置である。
【００３６】
操作パネル２２０は、ユーザからの入力を受付する入力部と、表示を行う表示部とを備えている。また、操作パネル２２０は、一般的なコンピュータの構成を有する情報処理装置であっても良い。
【００３７】
通信Ｉ／Ｆ２３０は、画像形成装置１０１をネットワーク１０４に接続するネットワークインタフェースである。画像形成装置１０１は、通信Ｉ／Ｆを介して、サーバ装置１０２と通信することができる。
【００３８】
プロッタ２４０は、印刷データを印刷する印刷装置である。スキャナ２５０は、原稿等をスキャンする読取装置である。ＦＣＵ２６０は、ファクスデータの送受信を行う。
【００３９】
外部接続Ｉ／Ｆ２７０は、例えば、ＵＳＢ（Universal Serial Bus）等の外部装置を接続するためのインタフェースである。外部装置には、例えば、記憶媒体１０５等が含まれる。
【００４０】
（サーバ装置、情報端末のハードウェア構成）
図１に示すサーバ装置１０２、及び情報端末１０３は、一般的なコンピュータの構成を有する。ここでは、一般的なコンピュータのハードウェア構成の例について説明する。
【００４１】
図３は、一実施形態に係るコンピュータのハードウェア構成例を示す図である。コンピュータ３００は、例えば、ＣＰＵ３０１、ＲＡＭ３０２、ＲＯＭ３０３、ストレージ装置３０４、ネットワークＩ／Ｆ３０５、入力装置３０６、表示装置３０７、外部接続Ｉ／Ｆ３０８、及びバス３０９等を有する。
【００４２】
ＣＰＵ３０１は、ＲＯＭ３０３やストレージ装置３０４等に記憶されたプログラムやデータをＲＡＭ３０２上に読み出し、処理を実行することで、コンピュータ３００の各機能を実現する演算装置である。ＲＡＭ３０２は、ＣＰＵ３０１のワークエリア等として用いられる揮発性のメモリである。ＲＯＭ３０３は、電源を切ってもプログラムやデータを保持することができる不揮発性のメモリである。
【００４３】
ストレージ装置３０４は、例えば、ＨＤＤ（Hard Disk Drive）や、ＳＳＤ（Solid State Drive）等によって実現される大容量の記憶装置であり、例えば、ＯＳ、アプリケーションプログラム、各種のデータ等を記憶する。ネットワークＩ／Ｆ３０５は、コンピュータ３００をネットワーク１０４に接続するための通信インタフェースである。
【００４４】
入力装置３０６は、例えば、マウス等のポインティングデバイスや、キーボード等の入力デバイスであり、コンピュータ３００に各操作信号を入力するために用いられる。表示装置３０７はディスプレイ等の表示デバイスであり、コンピュータ３００による処理結果等を表示する。
【００４５】
外部接続Ｉ／Ｆ３０８は、例えば、ＵＳＢ等の外部装置を接続するためのインタフェースである。バス３０９は、上記の各構成要素に接続され、アドレス信号、データ信号、及び各種制御信号等を伝送する。
【００４６】
［第１の実施形態］
＜機能構成＞
図４は、第１の実施形態に係る情報処理システムの機能構成図である。情報処理システム１００は、ネットワーク１０４を介して通信可能に接続された、画像形成装置１０１−１、１０１−２、及びサーバ装置１０２を含む。
【００４７】
画像形成装置１０１−１と画像形成装置１０１−２は、図４に示すように、同様の機能構成を有している。また、画像形成装置１０１−１、及び画像形成装置１０１−２は異なる画像形成装置である場合と、同じ画像形成装置である場合とがあるものとする。
【００４８】
（画像形成装置の機能構成）
画像形成装置１０１は、読出部４２１、判断部４２２、設定情報設定部４２３、通信制御部４２４、設定情報出力部４２５、設定情報取得部４２６、操作受付部４２７、表示制御部４２８、及び設定記憶部４２９等を有する。
【００４９】
読出部４２１は、例えば、図２のＣＰＵ２１１で実行されるプログラム、及び外部接続Ｉ／Ｆ２７０等によって実現され、記憶媒体１０５等に記憶された設定情報を読出する。
【００５０】
判断部４２２は、例えば、図２のＣＰＵ２１１で実行されるプログラムによって実現され、読出部４２１が読出した設定情報が、サーバ装置１０２で変換前の第１の設定情報であるか、サーバ装置１０２で変換済の第２の設定情報であるかを判断する。判断部４２２は、例えば、設定情報のヘッダ部に含まれる「インポート変換フラグ」を参照することにより、設定情報が、サーバ装置１０２で変換前の第１の設定情報であるか、サーバ装置１０２で変換済の第２の設定情報であるかを判断する。なお、設定情報については後述する。
【００５１】
設定情報設定部４２３は、例えば、図２のＣＰＵ２１１で実行されるプログラムによって実現され、読出部４２１が読出した設定情報と、判断部４２２の判断結果とに基づいて、画像形成装置１０１の設定を行う。設定情報設定部４２３は、例えば、第１の設定部４３１、及び第２の設定部４３２を含む。なお、第１の設定部４３１と第２の設定部４３２とは同じ設定部であっても良い。
【００５２】
第１の設定部４３１は、読出部４２１が読出した設定情報が、サーバ装置１０２で変換済の第２の設定情報である場合、読出した第２の設定情報を用いて、画像形成装置１０１の設定を行う。例えば、第１の設定部４３１は、読出した第２の設定情報を、画像形成装置１０１の設定を記憶する設定記憶部４２９に記憶させることにより、画像形成装置１０１に設定を反映させる。
【００５３】
第２の設定部４３２は、読出部４２１が読出した設定情報が、サーバ装置１０２で変換前の第１の設定情報であり、かつ設定情報をエクスポートした画像形成装置１０１が自装置である場合、読出した第１の設定情報を用いて、画像形成装置１０１の設定を行う。例えば、第２の設定部４３２は、読出した第１の設定情報を、画像形成装置１０１の設定を記憶する設定記憶部４２９に記憶させることにより、画像形成装置１０１に設定を反映させる。
【００５４】
通信制御部４２４は、例えば、図２のＣＰＵ２１１で実行されるプログラムによって実現され、サーバ装置１０２と通信を行うためのプロトコル制御や、ユーザの認証処理等の通信に必要な処理を実行する。
【００５５】
設定情報出力部４２５は、例えば、図２のＣＰＵ２１１で実行されるプログラムによって実現され、画像形成装置１０１の設定情報を、記憶媒体１０５や、サーバ装置１０２等に出力（エクスポート）する。
【００５６】
設定情報取得部４２６は、例えば、図２のＣＰＵ２１１で実行されるプログラムによって実現され、サーバ装置１０２から、変換済の第２の設定情報を取得する。
【００５７】
操作受付部４２７は、例えば、図２のＣＰＵ２１１で実行されるプログラムによって実現され、例えば、操作パネル２２０等を用いて、ユーザの操作を受付する。
【００５８】
表示制御部４２８は、例えば、図２のＣＰＵ２１１で実行されるプログラムによって実現され、例えば、操作パネル２２０等に表示画面を表示させる。
【００５９】
設定記憶部４２９は、例えば、図２のＣＰＵ２１１で実行されるプログラム、及びＮＶＲＡＭ２１４等によって実現され、画像形成装置１０１の設定を記憶する。
【００６０】
（サーバ装置の機能構成）
サーバ装置１０２は、例えば、通信制御部４１１、設定情報変換部４１２、設定情報管理部４１３、及び記憶部４１４等を有する。
【００６１】
通信制御部４２４は、例えば、図３のＣＰＵ３０１で実行されるプログラム、及びネットワークＩ／Ｆ３０５等によって実現され、画像形成装置１０１と通信を行うためのプロトコル制御や、ユーザの認証処理等の通信に必要な処理を実行する。
【００６２】
設定情報変換部４１２は、例えば、図３のＣＰＵ３０１で実行されるプログラムによって実現され、画像形成装置１０１−１からエクスポートされた第１の設定情報を、画像形成装置１０１−２で利用可能な第２の設定情報に変換する。なお、設定情報、及び設定情報の変換方法の例については後述する。
【００６３】
設定情報管理部４１３は、例えば、図３のＣＰＵ３０１で実行されるプログラムによって実現され、設定情報変換部４１２が変換した変換済の設定情報４１５を、記憶部４１４に記憶して管理する。また、設定情報管理部４１３は、画像形成装置１０１等からの要求に応じて、記憶部４１４に記憶した変換済の設定情報４１５を、画像形成装置１０１等に提供する。
【００６４】
記憶部４１４は、図３のＣＰＵ３０１で実行されるプログラム、及びストレージ装置３０４、ＲＡＭ３０２等によって実現される。記憶部４１４は、例えば、前述した変換済の設定情報４１５や、設定情報変換部４１２が設定情報の変換に用いる変換情報４１６等の情報を記憶する。
【００６５】
（設定情報について）
図５は、第１の実施形態に係る設定情報の例を示す図である。設定情報５００は、画像形成装置１０１の設定に関する情報であり、例えば、図５（ａ）、（ｂ）に示されるように、ヘッダ部５０１とデータ部５０２とを含む。
【００６６】
図５（ａ）は、設定情報の一例を示している。図５（ａ）の例では、ヘッダ部５０１には、インポート変換フラグ、機種識別情報、装置識別情報、及びエクスポート時刻等の情報等が含まれる。
【００６７】
インポート変換フラグは、設定情報５００が、サーバ装置１０２で変換前の第１の設定情報であるか、サーバ装置１０２で変換済の第２の設定情報であるかを示す情報である。例えば、設定情報５００は、サーバ装置１０２で変換済の第２の設定情報である場合、インポート変換フラグは有効に設定される。従って、画像形成装置１０１の判断部４２２は、フラグが有効に設定されている場合、設定情報が第２の設定情報であり、フラグが有効に設定されていない場合、設定情報が第１の設定情報であると判断することができる。
【００６８】
機種識別情報は、画像形成装置１０１の機種（モデル）を識別する情報である。機種識別情報は、例えば、設定情報が第１の設定情報である場合、第１の設定情報をエクスポートした画像形成装置１０１の機種を示す。また、機種識別情報は、例えば、設定情報が第２の設定情報である場合、第２の設定情報に対応する画像形成装置１０１の機種を示す。
【００６９】
装置識別情報は、画像形成装置１０１を識別する情報である。装置識別情報は、画像形成装置１０１毎に固有の情報が割り当てられている。
【００７０】
エクスポート時刻は、第１の設定情報が、画像形成装置１０１からエクスポートされた時刻を示す情報である。装置識別情報とエクスポート時刻は、第１の設定情報、及び第２の設定情報に共通に含まれ、例えば、第１の設定情報に対応する第２の設定情報を特定するための特定情報として用いられる。
【００７１】
設定情報５００のデータ部５０２には、例えば、アドレス帳データ、ユーザ設定データ、及びＮＶデータ等が含まれる。
【００７２】
アドレス帳データは、例えば、宛先のメールアドレスや、ファクス番号等、ユーザ等によって登録された宛先情報である。
【００７３】
ユーザ設定データは、例えば、画像形成装置１０１の操作パネル２２０等からユーザが設定した設定情報等である。ユーザ設定データの形式や、設定可能な項目、設定可能な設定値等は、例えば、画像形成装置１０１の機種等によって異なる場合がある。サーバ装置１０２の設定情報変換部４１２は、例えば、画像形成装置１０１−１のユーザ設定データを、画像形成装置１０１−２で利用可能なデータ形式、項目、設定値等に変換する。
【００７４】
ＮＶデータは、例えば、画像形成装置１０１の内部で用いられる設定情報であり、例えば、ＮＶＲＡＭ２１４のダンプデータ等である。ＮＶデータは、例えば、画像形成装置１０１の機種等によって、各設定値が記憶されるアドレスやオフセット等が異なる。そのため、サーバ装置１０２の設定情報変換部４１２は、記憶部４１４に予め記憶した変換情報４１６を用いて、例えば、画像形成装置１０１−１のＮＶデータを、画像形成装置１０１−２で利用可能なＮＶデータに変換する。
【００７５】
図６は、第１の実施形態に係る設定情報の変換について説明するための図である。
【００７６】
図６（ａ）は、機種１（例えば、画像形成装置１０１−１）の変換情報４１６のイメージを示している。変換情報４１６には、例えば、データＩＤ、オフセット、及びレングス等の情報が含まれている。
【００７７】
データＩＤは、ＮＶデータに含まれるデータの各々を識別するための識別情報である。オフセットは、例えば、ＮＶＲＡＭ２１４の開始アドレスからのオフセットを示す情報である。レングスは、データＩＤに対応するデータのレングス（サイズ）を示す情報である。図６（ａ）の例では、機種１のデータＩＤ「ＩＤ００２」のデータは、オフセット「３」、レングス「３」で記憶されていることが示されている。
【００７８】
図６（ｂ）は、機種１のＮＶデータのイメージを示している。この図では、データＩＤ「ＩＤ００２」のデータが、ＮＶデータのオフセット「３」の位置に記憶されていることが模式的に示されている。
【００７９】
図６（ｃ）は、機種２（例えば、画像形成装置１０１−２）の変換情報４１６のイメージを示している。図６（ｃ）の例では、機種２のデータＩＤ「ＩＤ００２」のデータは、オフセット「５」、レングス「３」で記憶されていることが示されている。
【００８０】
図６（ｄ）は、機種２のＮＶデータのイメージを示している。この図では、データＩＤ「ＩＤ００２」のデータが、ＮＶデータのオフセット「５」の位置に記憶されていることが模式的に示されている。
【００８１】
サーバ装置１０２の設定情報変換部４１２は、画像形成装置１０１−１の変換情報４１６と画像形成装置１０１−２の変換情報４１６とを用いて、画像形成装置１０１−１のＮＶデータを、画像形成装置１０１−２で利用可能なＮＶデータに変換する。
【００８２】
なお、図６に示す設定情報の変換は、設定情報変換部４１２による変換処理の一例である。設定情報変換部４１２による変換処理には、画像形成装置１０１−１のＮＶデータを、画像形成装置１０１−２で利用可能なＮＶデータに変換するための様々な変換処理が含まれる。
【００８３】
＜処理の流れ＞
続いて、本実施形態に係る画像形成装置１０１の設定方法の流れについて説明する。
【００８４】
図７は、第１の実施形態に係る画像形成装置の設定処理の例を示すフローチャートである。この処理は、画像形成装置１０１−１からエクスポートされた第１の設定情報を記憶した記憶媒体１０５を用いて、画像形成装置１０１−２の設定を行う設定処理の例を示している。なお、画像形成装置１０１−１と画像形成装置１０１−２とは、異なる画像形成装置１０１である場合と、同じ画像形成装置１０１である場合とがあるものとする。
【００８５】
ステップＳ７０１において、画像形成装置１０１−２の読出部４２１は、例えば、外部接続Ｉ／Ｆ２７０に接続されたメモリカード等の記憶媒体１０５から、設定情報を読出する。
【００８６】
ステップＳ７０２において、画像形成装置１０１−２の判断部４２２は、読出部４２１が読出した設定情報からヘッダ情報（ヘッダ部５０１）を取得する。
【００８７】
ステップＳ７０３において、判断部４２２は、ヘッダ部５０１のインポート変換フラグを参照して、読出部４２１が読出した設定情報が、サーバ装置１０２で変換前の第１の設定情報であるか、サーバ装置１０２で変換済の第２の設定情報であるかを判断する。
【００８８】
読出部４２１が読出した設定情報が変換済の第２の設定情報である場合、判断部４２２は、処理をステップＳ７０４に移行させる。一方、読出部４２１が読出した設定情報が変換前の第１の設定情報である場合、判断部４２２は、処理をステップＳ７０７に移行させる。
【００８９】
ステップＳ７０４において、画像形成装置１０１−２の判断部４２２は、読出部４２１が読出した第２の設定情報が、自装置と同じ機種の設定情報であるか否かを判断する。
【００９０】
読出部４２１が読出した設定情報が自装置と同じ機種の設定情報である場合、判断部４２２は、処理をステップＳ７０５に移行させる。一方、読出部４２１が読出した設定情報が自装置と同じ機種の設定情報でない場合、判断部４２２は、処理をステップＳ７０６に移行させる。
【００９１】
ステップＳ７０４からステップＳ７０５に移行すると、画像形成装置１０１−２の第１の設定部４３１は、読出部４２１が読出した設定情報（第２の設定情報）を用いて、画像形成装置１０１−２の設定を更新する。
【００９２】
ステップＳ７０６に移行すると、画像形成装置１０１−２の表示制御部４２８は、例えば、設定情報をインポートできないことを示すエラー画面を操作パネル２２０に表示して、処理を終了する。
【００９３】
一方、ステップ７０３から、ステップＳ７０７に移行すると、画像形成装置１０１−２の判断部４２２は、読出部４２１が読出した第１の設定情報に含まれる装置識別情報が、自装置の装置識別情報と同じであるか否かを判断する。
【００９４】
読出部４２１が読出した第１の設定情報に含まれる装置識別情報が、自装置の装置識別情報と同じである場合、判断部４２２は、処理をステップＳ７０５に移行させる。一方、自装置の装置識別情報と同じでない場合、判断部４２２は、処理をステップＳ７０８に移行させる。
【００９５】
ステップＳ７０７からステップＳ７０５に移行すると、画像形成装置１０１−２の第２の設定部４３２は、読出部４２１が読出した設定情報（第１の設定情報）を用いて、画像形成装置１０１−２の設定を更新する。
【００９６】
ステップＳ７０８に移行すると、画像形成装置１０１−２の表示制御部４２８は、例えば、設定情報をインポートできないことを示すエラー画面を操作パネル２２０に表示して、処理を終了する。
【００９７】
上記の処理により、画像形成装置１０１−２は、記憶媒体１０５に、自装置がエクスポートした第１の設定情報が記憶されている場合、記憶媒体１０５が記憶した設定情報を用いて、画像形成装置１０１−２の設定を更新することができるようになる。
【００９８】
従って、本実施形態によれば、サーバ装置１０２で変換された設定情報を画像形成装置１０１にインポートするシステムにおいて、変換前の設定情報が記憶された記憶媒体１０５を用いて、画像形成装置１０１の設定情報を容易に設定することができるようになる。
【００９９】
［第２の実施形態］
第２の実施形態では、記憶媒体１０５に記憶された設定情報が、サーバ装置１０２で変換前の第１の設定情報であり、かつ第１の設定情報をエクスポートした画像形成装置１０１−１が自装置でない場合の処理の例について説明する。
【０１００】
＜機能構成＞
図８は、第２の実施形態に係る情報処理システムの機能構成図である。図８に示す第２の実施形態に係る画像形成装置１０１は、図４の示す第１の実施形態に係る画像形成装置１０１の機能構成に加えて、第３の設定部８０１を有する。なお、ここでは、図４に示す第１の実施形態に係る情報処理システム１００と同様の機能構成についての説明は省略し、第１の実施形態との相違点を中心に説明を行う。
【０１０１】
画像形成装置１０１−１の設定情報出力部４２５は、画像形成装置１０１−１の第１の設定情報を記憶媒体１０５にエクスポートするとき、サーバ装置１０２にも第１の設定情報をエクスポートする。
【０１０２】
サーバ装置１０２の設定情報変換部４１２は、画像形成装置１０１−１からエクスポートされた第１の設定情報を、画像形成装置１０１−２で利用可能な第２の設定情報に変換する。
【０１０３】
サーバ装置１０２の設定情報管理部４１３は、設定情報変換部４１２によって変換された第２の設定情報を記憶部４１４に記憶して管理し、画像形成装置１０１−２からの要求に応じて、変換された第２の設定情報を画像形成装置１０１−２に提供する。
【０１０４】
画像形成装置１０１−２の設定情報取得部４２６は、記憶媒体１０５から読出部４２１が読出した設定情報が第１の設定情報であり、かつ自装置がエクスポートした第１の設定情報でない場合、サーバ装置１０２から第２の設定情報を取得する。
【０１０５】
例えば、画像形成装置１０１−２の設定情報取得部４２６は、読出部４２１が読出した第１の設定情報のヘッダ部５０１から、エクスポート時刻を取得する。また、設定情報取得部４２６は、サーバ装置１０２が記憶部４１４に記憶する第２の設定情報の中から、画像形成装置１０１−２と同じ機種であり、かつ取得したエクスポート時刻を有する第２の設定情報を取得する。
【０１０６】
画像形成装置１０１−２の第３の設定部８０１は、設定情報取得部４２６が取得した、機種、及びエクスポート時刻が一致する第２の設定情報を用いて、画像形成装置１０１−２の設定を更新する。
【０１０７】
また、別の一例として、画像形成装置１０１−２の設定情報取得部４２６は、サーバ装置１０２の記憶部４１４に記憶された第２の設定情報のうち、画像形成装置１０１−２と同じ機種の第２の設定情報を、操作パネル２２０に選択可能に表示させるものであっても良い。この場合、設定情報取得部４２６は、ユーザによって選択された第２の設定情報を、サーバ装置１０２から取得し、第３の設定部８０１は、設定情報取得部４２６が取得した第２の設定情報を用いて、画像形成装置１０１−２の設定を更新する。なお、第３の設定部８０１は、第１の設定部４３１、又は第２の設定部４３２と同じ設定部であっても良いし、異なる設定部であっても良い。
【０１０８】
＜処理の流れ＞
図９は、第２の実施形態に係る画像形成装置の設定処理の一例を示すフローチャートである。なお、図９のステップＳ７０１〜Ｓ７０７の処理は、図７に示す第１の実施形態に係る処理と同様なので、ここでは、第１の実施形態との相違点を中心に説明を行う。
【０１０９】
ステップＳ７０７からステップＳ９０１に移行すると、画像形成装置１０１−２の設定情報取得部４２６は、サーバ装置１０２にログインする。例えば、設定情報取得部４２６は、表示制御部４２８を用いて、図１２（ａ）に示すようなログイン画面１２１０を表示させて、ユーザによって入力されたログイン情報を用いて、サーバ装置１０２にログインする。なお、ステップＳ９０１の処理は必須ではない。
【０１１０】
ステップＳ９０２において、画像形成装置１０１−２の設定情報取得部４２６は、サーバ装置１０２に記憶された変換済の設定情報（第２の設定情報）の中から、画像形成装置１０１−２で利用可能な変換済の設定情報を検索する。
【０１１１】
例えば、設定情報取得部４２６は、読出部４２１が読出した第１の設定情報からエクスポート時刻を取得する。また、設定情報取得部４２６は、サーバ装置１０２の設定情報管理部４１３が管理する第２の設定情報の中から、機種、及びエクスポート時刻が一致する第２の設定情報を検索する。具体的な一例として、設定情報取得部４２６は、サーバ装置１０２に記憶された第２の設定情報の中から、画像形成装置１０１−２と同じ機種識別情報、及び読出部４２１が読出した第１の設定情報から取得したエクスポート時刻を含む第２の設定情報を検索する。
【０１１２】
ステップＳ９０３において、設定情報取得部４２６は、サーバ装置１０２に記憶された第２の設定情報の中に、機種、及びエクスポート時刻が一致する第２の設定情報があるかを判断する。
【０１１３】
機種、及びエクスポート時刻が一致する第２の設定情報がある場合、設定情報取得部４２６は、処理をステップＳ９０４に移行させる。一方、機種、及びエクスポート時刻が一致する第２の設定情報がない場合、設定情報取得部４２６は、処理をステップＳ９０６に移行させる。
【０１１４】
ステップＳ９０４に移行すると、画像形成装置１０１−２の設定情報取得部４２６は、サーバ装置１０２から、機種、及びエクスポート時刻が一致する第２の設定情報を取得する。
【０１１５】
ステップＳ９０５において、画像形成装置１０１−２の第３の設定部８０１は、設定情報取得部４２６が取得した第２の設定情報を用いて、画像形成装置１０１−２の設定を更新する。
【０１１６】
ステップＳ９０６に移行すると、画像形成装置１０１−２の表示制御部４２８は、例えば、設定情報をインポートできないことを示すエラー画面を操作パネル２２０に表示して、処理を終了する。
【０１１７】
上記の処理により、画像形成装置１０１−２は、記憶媒体１０５に、画像形成装置１０１−２とは異なる画像形成装置１０１−１の第１の設定情報が記憶されている場合でも、画像形成装置１０１−２の設定を容易に更新することができるようになる。
【０１１８】
なお、上記の処理では、図９のステップＳ９０２、Ｓ９０３において、画像形成装置１０１−２の設定情報取得部４２６は、サーバ装置１０２から、自動的に第２の設定情報を取得するものとして説明を行った。
【０１１９】
別の一例として、画像形成装置１０１−２の設定情報取得部４２６は、サーバ装置１０２に記憶された利用可能な第２の設定情報の中から、取得する第２の設定情報をユーザに選択させるものであっても良い。
【０１２０】
図１０は、第２の実施形態に係る画像形成装置の設定処理の別の一例を示すフローチャートである。なお、図１０のステップＳ７０１〜Ｓ７０７の処理、及びステップＳ９０１、Ｓ９０５の処理は、図９に示す処理と同様なので、ここでは、図９に示す処理との相違点を中心に説明を行う。
【０１２１】
ステップＳ１００１において、画像形成装置１０１−２の設定情報取得部４２６は、サーバ装置１０２に記憶された第２の設定情報の中から、画像形成装置１０１−２で利用可能な変換済の設定情報（第２の設定情報）を検索する。例えば、設定情報取得部４２６は、サーバ装置１０２に記憶された第２の設定情報の中から、画像形成装置１０１−２と同じ機種識別情報を含む第２の設定情報を検索する。
【０１２２】
ステップＳ１００２において、画像形成装置１０１−２の設定情報取得部４２６は、表示制御部４２８を用いて、画像形成装置１０１−２で利用可能な変換済の設定情報（第２の設定情報）の一覧を、操作パネル２２０に選択可能に表示させる。このとき、操作パネル２２０に表示される表示画面の例を、図１２（ｄ）に示す。
【０１２３】
図１２（ｄ）に示す表示画面１２４０には、画像形成装置１０１−２で利用可能な第２の設定情報を選択するための複数の選択ボタン１２４１が表示されている。ユーザは、複数の選択ボタン１２４１の中から、インポートしたい第２の設定情報の選択ボタン１２４１を選択し、決定ボタン１２４２を選択することにより、選択された第２の設定情報をインポートすることができる。
【０１２４】
ステップＳ１００３において、画像形成装置１０１−２の設定情報取得部４２６は、例えば、図１２（ｄ）に示すような表示画面１２４０から、選択された第２の設定情報を取得する。
【０１２５】
上記の処理により、画像形成装置１０１−２は、記憶媒体１０５に記憶された設定情報が第１の設定情報であり、かつ第１の設定情報をエクスポートした画像形成装置１０１−１が自装置と異なる場合、利用可能な第２の設定情報の一覧を選択可能に表示する。これにより、ユーザは、サーバ装置１０２に記憶された利用可能な第２の設定情報の中から、設定に用いる第２の設定情報を選択的に取得することができるようになる。
【０１２６】
（情報処理システムの設定処理）
図１１は、第２の実施形態に係る情報処理システムの設定処理の例を示すシーケンス図である。この処理は、画像形成装置１０１−１が、記憶媒体１０５、及びサーバ装置１０２に第１の設定情報をエクスポートし、第１の設定情報を記憶した記憶媒体１０５を用いて、画像形成装置１０１−２の設定を行う場合の処理の一例を示している。
【０１２７】
ステップＳ１１０１において、画像形成装置１０１−１は、ユーザのログイン操作を受付する。例えば、画像形成装置１０１−１の表示制御部４２８は、図１２（ａ）に示すようなログイン画面１２１０を操作パネル２２０に表示させる。ユーザは、ユーザＩＤの入力欄１２１１にユーザＩＤ、パスワードの入力欄１２１２にパスワードを入力し、ログインボタン１２１３を選択することにより、サーバ装置１０２にログインすることができる。画像形成装置１０１−１の操作受付部４２７は、入力されたユーザＩＤ、及びパスワードを受付する。
【０１２８】
ステップＳ１１０２において、画像形成装置１０１−１の通信制御部４２４は、サーバ装置１０２にログイン要求を送信する。このログイン要求には、例えば、ステップＳ１１０１で受付したユーザＩＤ、及びパスワードが含まれる。
【０１２９】
ステップＳ１１０３において、サーバ装置１０２の通信制御部４１１は、ログイン要求を受付すると、ユーザのログイン認証を行う。
【０１３０】
ステップＳ１１０４において、サーバ装置１０２の通信制御部４１１は、ログイン認証の認証結果を、画像形成装置１０１−１に通知する。ここでは、ユーザのログイン認証が許可されるものとして、以下の説明を行う。
【０１３１】
ステップＳ１１０５において、画像形成装置１０１−１の表示制御部４２８は、例えば、図１２（ｂ）に示すような、メニュー画面１２２０を、操作パネル２２０に表示させる。
【０１３２】
ステップＳ１１０６において、画像形成装置１０１−１の操作受付部４２７は、ユーザのエクスポート操作を受付する。
【０１３３】
例えば、ユーザは、図１２（ｂ）に示すようなメニュー画面１２２０から、「エクスポート」の選択ボタン１２２１を選択する。これにより、画像形成装置１０１−１の表示制御部４２８は、例えば、図１２（ｃ）に示すようなエクスポートメニュー画面１２３０を、操作パネル２２０に表示させる。
【０１３４】
図１２（ｃ）の例では、エクスポートメニュー画面１２３０には、エクスポートする情報を選択する選択ボタン１２３１、エクスポート先の機種を選択するプルダウンメニュー１２３２等が含まれる。
【０１３５】
好ましくは、エクスポートメニュー画面１２３０には、メモリカード等の記憶媒体１０５への第１の設定情報のエクスポートを指定するチェックボックス１２３３等が含まれる。
【０１３６】
ユーザは、図１２（ｃ）に示すようなエクスポートメニュー画面１２３０から、エクスポートする情報、エクスポート先の機種、及び記憶媒体１０５へのエクスポートの指示等を選択し、決定ボタン１２３４を選択する。
【０１３７】
ステップＳ１１０７において、画像形成装置１０１−１の設定情報出力部４２５は、画像形成装置１０１−１の第１の設定情報を、記憶媒体１０５に出力（エクスポート）する。
【０１３８】
ステップＳ１１０８において、記憶媒体１０５は、画像形成装置１０１−１からエクスポートされた第１の設定情報を記憶する。
【０１３９】
ステップＳ１１０９において、画像形成装置１０１−１の設定情報出力部４２５は、画像形成装置１０１−１の第１の設定情報を、サーバ装置１０２に出力（エクスポート）する。
【０１４０】
ステップＳ１１１０において、サーバ装置１０２の設定情報変換部４１２は、画像形成装置１０１−１からエクスポートされた第１の設定情報を、指定された機種（例えば、画像形成装置１０１−２）で利用可能な第２の設定情報に変換する。また、サーバ装置１０２の設定情報管理部４１３は、設定情報変換部４１２によって変換された第２の設定情報を、記憶部４１４に記憶する。
【０１４１】
ステップＳ１１１１において、ユーザは、画像形成装置１０１−１の第１の設定情報が記憶された記憶媒体１０５を、画像形成装置１０１−２に接続するものとする。
【０１４２】
ステップＳ１１１２において、画像形成装置１０１−２の読出部４２１は、記憶媒体１０５に記憶された画像形成装置１０１−１の第１の設定情報のヘッダ情報を確認する。この処理は、例えば、図９のステップＳ７０１〜Ｓ７０７の処理に対応している。ここでは、記憶媒体１０５に記憶された設定情報は、サーバ装置１０２で変換前の第１の設定情報であり、かつ第１の設定情報をエクスポートした画像形成装置１０１−１が、画像形成装置１０１−２と異なるため、図９のステップＳ９０１に処理が移行される。
【０１４３】
ステップＳ１１１３において、画像形成装置１０１−２は、ユーザのログイン操作を受付する。例えば、画像形成装置１０１−２の表示制御部４２８は、図１２（ａ）に示すようなログイン画面１２１０を操作パネル２２０に表示させ、ユーザによるユーザＩＤ、及びパスワードの入力を受付する。
【０１４４】
ステップＳ１１１４において、画像形成装置１０１−２の通信制御部４２４は、サーバ装置１０２にログイン要求を送信する。
【０１４５】
ステップＳ１１１５において、サーバ装置１０２の通信制御部４１１は、ログイン要求を受付すると、ユーザのログイン認証を行う。
【０１４６】
ステップＳ１１１６において、サーバ装置１０２の通信制御部４１１は、ログイン認証の認証結果を、画像形成装置１０１−２に通知する。ここでは、ユーザのログイン認証が許可されるものとして、以下の説明を行う。
【０１４７】
ステップＳ１１１７において、画像形成装置１０１−２の設定情報取得部４２６は、設定情報を取得要求を、サーバ装置１０２に送信し、第２の設定情報の検索、及び取得を要求する。この設定情報の取得要求には、例えば、画像形成装置１０１−２の機種識別情報、及び記憶媒体１０５に記憶された第１の設定情報から取得したエクスポート時刻等の情報が含まれる。
【０１４８】
ステップＳ１１１８において、サーバ装置１０２の設定情報管理部４１３は、記憶部４１４に記憶した変換済の設定情報４１５の中から、設定情報の取得要求に含まれる機種識別情報、及びエクスポート時刻を含む第２の設定情報を検索する。ここでは、ステップＳ１１１０で記憶された第２の設定情報が検索される。
【０１４９】
ステップＳ１１１９において、サーバ装置１０２の設定情報管理部４１３は、検索された第２の設定情報を、画像形成装置１０１−２に出力する。
【０１５０】
ステップＳ１１２０において、画像形成装置１０１−２の設定情報取得部４２６は、サーバ装置１０２から出力された第２の設定情報を取得し、第３の設定部８０１は、取得された第２の設定情報を用いて、画像形成装置１０１−２の設定を更新する。
【０１５１】
上記の処理により、画像形成装置１０１−２は、記憶媒体１０５に記憶された設定情報が、画像形成装置１０１−１からエクスポートされた第１の設定情報である場合でも、画像形成装置１０１−２の設定を更新することができるようになる。
【０１５２】
以上、上記の各実施形態によれば、サーバ装置１０２で変換された設定情報を画像形成装置１０１にインポートするシステムにおいて、変換前の設定情報が記憶された記憶媒体１０５を用いて、画像形成装置１０１の設定を容易に更新することができるようになる。
【符号の説明】
【０１５３】
１００        情報処理システム
１０１        画像形成装置
１０１−１    画像形成装置（第１の画像形成装置）
１０１−２    画像形成装置（第２の画像形成装置）
１０５        記憶媒体
４１２        設定情報変換部
４１３        設定情報管理部
４２１        読出部
４２２        判断部
４２５        設定情報出力部
４３１        第１の設定部
４３２        第２の設定部
４２６        設定情報取得部（取得部）
８０１        第３の設定部
【先行技術文献】
【特許文献】
【０１５４】
【特許文献１】特開２０１３−１３１１６８号公報
【図１】
2018207240.tif 000003
【図２】
2018207240.tif 000004
【図３】
2018207240.tif 000005
【図４】
2018207240.tif 000006
【図５】
2018207240.tif 000007
【図６】
2018207240.tif 000008
【図７】
2018207240.tif 000009
【図８】
2018207240.tif 000010
【図９】
2018207240.tif 000011
【図１０】
2018207240.tif 000012
【図１１】
2018207240.tif 000013
【図１２】
2018207240.tif 000014